(57)【要約】【課題】情報配信先の利用者の手間をかけずに、情報配信先における気象状況に応じた情報を配信する。【解決手段】  インターネット３０を介して通信を行う通信手段を具備する端末１０−１〜１０−ｎと、端末１０−１〜１０−ｎからの情報配信要求に応じてインターネット３０を介して情報を端末１０−１〜１０−ｎに配信する情報配信サーバ４０とを少なくとも有してなる情報配信システムにおいて、端末１０−１〜１０−ｎに、周囲の気象状況を測定する測定手段を設け、該測定手段にて測定された気象状況を情報配信要求とともに情報配信サーバ４０に送信し、情報配信サーバ４０において、端末１０−１〜１０−ｎから送信されてきた気象状況に応じた情報を端末１０−１〜１０−ｎに配信する。【選択図】図１
2005151322.tif 000002
【特許請求の範囲】
【請求項１】
インターネットを介して通信を行う通信手段を具備する端末と、前記端末からの情報配信要求に応じてインターネットを介して情報を当該端末に配信する情報配信手段とを少なくとも有してなる情報配信システムにおいて、
前記端末は、周囲の気象状況を測定する測定手段を有し、該測定手段にて測定された気象状況を前記情報配信要求とともに前記通信手段を介して前記情報配信手段に送信し、
前記情報配信手段は、前記端末から送信されてきた気象状況に応じた情報を前記端末に配信することを特徴とする情報配信システム。
【請求項２】
インターネットに接続可能な端末と、気象情報を位置情報と対応づけて管理する気象情報管理手段と、前記端末の位置における気象情報を前記気象情報管理手段から取得し、予め登録された配信情報のうち前記気象情報管理手段から取得した気象情報に応じた配信情報をインターネットを介して前記端末に配信する情報配信手段とを少なくとも有してなる情報配信システムにおいて、
前記端末を特定可能な識別情報が書き込まれた記録媒体と、
予め決められた場所に設置され、前記記録媒体に書き込まれた識別情報を読み取り、該識別情報と、設置場所を特定可能な位置特定情報とを前記情報配信手段に送信する位置特定手段とを有し、
前記情報配信手段は、前記位置特定手段から送信されてきた位置特定情報によって特定される位置における気象情報を前記気象情報管理手段から取得し、該気象情報に応じた配信情報を、前記位置特定手段から送信されてきた識別情報によって特定される端末に配信することを特徴とする情報配信システム。
【請求項３】
インターネットに接続可能な携帯端末と、気象情報を位置情報と対応づけて管理する気象情報管理手段と、前記携帯端末の位置における気象情報を前記気象情報管理手段から取得し、予め登録された配信情報のうち前記気象情報管理手段から取得した気象情報に応じた配信情報をインターネットを介して前記携帯端末に配信する情報配信手段とを少なくとも有してなる情報配信システムにおいて、
前記携帯端末は、固有の識別情報が付与され、位置を検出するための位置検出手段を有し、
前記識別情報によって前記位置検出手段の位置を検出する位置情報管理手段を有し、
前記情報配信手段は、前記識別情報を前記携帯端末と対応づけておき、前記識別情報を指定することによって前記位置情報管理手段にて検出された前記位置検出手段の位置情報を取得し、該位置情報によって特定される位置における気象情報を前記気象情報管理手段から取得し、該気象情報に応じた配信情報を、指定した識別情報に対応づけられた携帯端末に配信することを特徴とする情報配信システム。
【請求項４】
インターネットに接続可能な端末に対して情報を配信する情報配信サーバであって、
前記端末の電子メールアドレスと前記端末に付与された固有の識別情報とを対応づけて管理しておき、位置を特定するための位置特定情報及び前記識別情報を受信した場合、前記識別情報に対応づけて管理している電子メールアドレスが宛先に設定され、前記位置特定情報によって特定される位置における気象情報に応じた情報が掲載された電子メールを作成し、送信することを特徴とする情報配信サーバ。
【発明の詳細な説明】
【技術分野】
【０００１】
本発明は、インターネットを介して情報を配信する情報配信システム及び情報配信サーバに関し、特に、気象状況に応じた情報を配信する情報配信システム及び情報配信サーバに関する。
【背景技術】
【０００２】
近年、インターネットやパソコンが急速に普及し、個人が時間や場所を問わずにインターネットに接続することが容易に行われるようになってきている。また、それに伴い、インターネット上にＷｅｂページを開設し、このＷｅｂページを用いて情報を提供したり、商品等を販売したりする企業団体等が急速に増加している。さらに、情報を伝達するための手段として電子メールが普及しており、一般消費者どうしが電子メールを用いて情報を交換する他にも、企業団体等が、商品等の広告が掲載された電子メールや、クーポン情報が掲載された電子メールを、予め登録された利用者に対して送信し、その電子メールを用いて商品等の販促活動を行ったり、商品等を提供したりしている。
【０００３】
ところで、企業団体等にて販売される商品やサービスに対する需要は、天候や気温等の気象状況に応じて変化しやすく、そのため、近年においては、多くの企業団体等において、気象状況をマーケティングに活用することが行われている。このように気象状況に応じて商品を販売したり、サービスを提供したりすることによって、消費者が欲する商品やサービス等をタイムリーに販売、提供することができる。
【０００４】
そこで、上述したような情報配信技術を利用して、気象状況に応じた広告情報を配信する技術が考えられている（例えば、特許文献１参照。）。この技術においては、広告情報を配信する配信センターにおいて、広告情報の配信先における気象状況が取得され、この気象状況に応じた広告情報がデータベースから検索されて広告情報の配信先に配信される。
【特許文献１】特開２００２−２１５６５６号公報
【発明の開示】
【発明が解決しようとする課題】
【０００５】
上述したように情報配信先の気象状況に応じた広告情報を配信するものにおいては、情報の配信元において情報配信先における気象状況を取得するために情報配信先の位置を特定する必要がある。しかしながら、情報配信先が、例えば、携帯電話機等のように移動可能なものである場合、情報配信元において携帯電話機の位置を特定するために、情報配信先に対して位置情報取得要求を送信し、その後、携帯電話機から位置情報を送信しなければならず、携帯電話機の利用者がそのための操作を行う必要が生じてしまう場合があり、その場合、携帯電話機の利用者にとってその操作を行うための手間がかかってしまうという問題点がある。
【０００６】
本発明は、上述したような従来の技術が有する問題点に鑑みてなされたものであって、情報配信先の利用者の手間をかけずに、情報配信先の気象状況に応じた情報を配信することができる情報配信システム及び情報配信サーバを提供することを目的とする。
【課題を解決するための手段】
【０００７】
上記目的を達成するために本発明は、
インターネットを介して通信を行う通信手段を具備する端末と、前記端末からの情報配信要求に応じてインターネットを介して情報を当該端末に配信する情報配信手段とを少なくとも有してなる情報配信システムにおいて、
前記端末は、周囲の気象状況を測定する測定手段を有し、該測定手段にて測定された気象状況を前記情報配信要求とともに前記通信手段を介して前記情報配信手段に送信し、
前記情報配信手段は、前記端末から送信されてきた気象状況に応じた情報を前記端末に配信することを特徴とする。
【０００８】
また、インターネットに接続可能な端末と、気象情報を位置情報と対応づけて管理する気象情報管理手段と、前記端末の位置における気象情報を前記気象情報管理手段から取得し、予め登録された配信情報のうち前記気象情報管理手段から取得した気象情報に応じた配信情報をインターネットを介して前記端末に配信する情報配信手段とを少なくとも有してなる情報配信システムにおいて、
前記端末を特定可能な識別情報が書き込まれた記録媒体と、
予め決められた場所に設置され、前記記録媒体に書き込まれた識別情報を読み取り、該識別情報と、設置場所を特定可能な位置特定情報とを前記情報配信手段に送信する位置特定手段とを有し、
前記情報配信手段は、前記位置特定手段から送信されてきた位置特定情報によって特定される位置における気象情報を前記気象情報管理手段から取得し、該気象情報に応じた配信情報を、前記位置特定手段から送信されてきた識別情報によって特定される端末に配信することを特徴とする。
【０００９】
また、インターネットに接続可能な携帯端末と、気象情報を位置情報と対応づけて管理する気象情報管理手段と、前記携帯端末の位置における気象情報を前記気象情報管理手段から取得し、予め登録された配信情報のうち前記気象情報管理手段から取得した気象情報に応じた配信情報をインターネットを介して前記携帯端末に配信する情報配信手段とを少なくとも有してなる情報配信システムにおいて、
前記携帯端末は、固有の識別情報が付与され、位置を検出するための位置検出手段を有し、
前記識別情報によって前記位置検出手段の位置を検出する位置情報管理手段を有し、
前記情報配信手段は、前記識別情報を前記携帯端末と対応づけておき、前記識別情報を指定することによって前記位置情報管理手段にて検出された前記位置検出手段の位置情報を取得し、該位置情報によって特定される位置における気象情報を前記気象情報管理手段から取得し、該気象情報に応じた配信情報を、指定した識別情報に対応づけられた携帯端末に配信することを特徴とする。
【００１０】
また、インターネットに接続可能な端末に対して情報を配信する情報配信サーバであって、
前記端末の電子メールアドレスと前記端末に付与された固有の識別情報とを対応づけて管理しておき、位置を特定するための位置特定情報及び前記識別情報を受信した場合、前記識別情報に対応づけて管理している電子メールアドレスが宛先に設定され、前記位置特定情報によって特定される位置における気象情報に応じた情報が掲載された電子メールを作成し、送信することを特徴とする。
【００１１】
上記のように構成された本発明においては、インターネットに接続可能な端末において、情報を配信する情報配信手段に対して情報配信要求が行われると、情報配信要求が行われた端末から、該端末に設けられた測定手段にて測定された端末の周囲の気象状況が情報配信要求とともに情報配信手段に送信され、情報配信手段において、端末から送信されてきた気象状況に応じた情報が端末に配信される。
【００１２】
このように、インターネットに接続可能な端末において周囲の気象状況が測定されており、情報配信手段に対して情報配信要求を行うだけで、端末の周囲の気象状況に応じた情報が端末に配信されるので、情報配信先となる端末の利用者の手間をかけずに、情報配信先における気象状況に応じた情報が配信されることになる。
【００１３】
また、インターネットに接続可能な端末を特定可能な識別情報が書き込まれた記録媒体から、予め決められた場所に設置された位置特定手段にて当該識別情報が読み取られると、読み取られた識別情報と、位置特定手段の設置場所を特定可能な位置特定情報とが情報配信手段に送信される。すると、情報配信手段において、位置特定手段から送信されてきた位置特定情報によって特定される位置における気象情報が気象情報管理手段から取得され、該気象情報に応じた配信情報が、位置特定手段から送信されてきた識別情報によって特定される端末に配信される。
【００１４】
このように、予め決められた場所に設置された位置特定手段にて、インターネットに接続可能な端末を特定可能な識別情報が書き込まれた記録媒体から、当該識別情報が読み取られだけで、位置特定手段の設置場所における気象情報に応じた配信情報が端末に配信されるので、情報配信先となる端末の利用者の手間をかけずに、情報配信先における気象情報に応じた配信情報が配信されることになる。
【００１５】
また、情報配信手段において、インターネットに接続可能な携帯端末と、この携帯端末に一体化された位置検出手段に付与された識別情報とが対応づけられており、識別情報によって位置検出手段の位置を検出する位置情報管理手段に対して識別情報が指定されると、この識別情報が付与された位置検出手段の位置情報が位置情報管理手段から情報配信手段に送られる。情報配信手段においては、位置情報管理手段から取得した位置情報によって特定される位置における気象情報が気象情報管理手段から取得され、該気象情報に応じた配信情報が、指定した識別情報に対応づけられた携帯端末に配信される。
【００１６】
このように、情報配信手段において、携帯端末と一体化された位置検出手段に付与された識別情報が指定されるだけで、位置検出手段の現在位置における気象情報に応じた配信情報が携帯端末に配信されるので、情報配信先となる携帯端末の利用者の手間をかけずに、情報配信先における気象情報に応じた配信情報が配信されることになる。
【発明の効果】
【００１７】
以上説明したように本発明においては、インターネットを介して通信を行う通信手段を具備する端末と、端末からの情報配信要求に応じてインターネットを介して情報を当該端末に配信する情報配信手段とを少なくとも有してなる情報配信システムにおいて、端末が、周囲の気象状況を測定する測定手段を有し、該測定手段にて測定された気象状況を情報配信要求とともに通信手段を介して情報配信手段に送信し、また、情報配信手段が、端末から送信されてきた気象状況に応じた情報を端末に配信する構成としたため、情報配信先の利用者の手間をかけずに、情報配信先における気象状況に応じた情報を配信することができる。
【００１８】
また、インターネットに接続可能な端末と、気象情報を位置情報と対応づけて管理する気象情報管理手段と、端末の位置における気象情報を気象情報管理手段から取得し、予め登録された配信情報のうち気象情報管理手段から取得した気象情報に応じた配信情報をインターネットを介して端末に配信する情報配信手段とを少なくとも有してなる情報配信システムにおいて、端末を特定可能な識別情報が書き込まれた記録媒体と、予め決められた場所に設置され、記録媒体に書き込まれた識別情報を読み取り、該識別情報と、設置場所を特定可能な位置特定情報とを情報配信手段に送信する位置特定手段とを有し、情報配信手段が、位置特定手段から送信されてきた位置特定情報によって特定される位置における気象情報を気象情報管理手段から取得し、該気象情報に応じた配信情報を、位置特定手段から送信されてきた識別情報によって特定される端末に配信する構成としたものにおいても、情報配信先の利用者の手間をかけずに、情報配信先における気象状況に応じた情報を配信することができる。
【００１９】
また、インターネットに接続可能な携帯端末と、気象情報を位置情報と対応づけて管理する気象情報管理手段と、携帯端末の位置における気象情報を気象情報管理手段から取得し、予め登録された配信情報のうち気象情報管理手段から取得した気象情報に応じた配信情報をインターネットを介して携帯端末に配信する情報配信手段とを少なくとも有してなる情報配信システムにおいて、携帯端末が、固有の識別情報が付与され、位置を検出するための位置検出手段を有し、識別情報によって位置検出手段の位置を検出する位置情報管理手段を有し、情報配信手段が、識別情報を携帯端末と対応づけておき、識別情報を指定することによって位置情報管理手段にて検出された位置検出手段の位置情報を取得し、該位置情報によって特定される位置における気象情報を気象情報管理手段から取得し、該気象情報に応じた配信情報を、指定した識別情報に対応づけられた携帯端末に配信する構成としたものにおいても、情報配信先の利用者の手間をかけずに、情報配信先における気象状況に応じた情報を配信することができる。
【発明を実施するための最良の形態】
【００２０】
以下に、本発明の実施の形態について図面を参照して説明する。
【００２１】
（第１の実施の形態）
図１は、本発明の情報配信システムの第１の実施の形態を示す図である。
【００２２】
本形態は図１に示すように、公衆回線２０を介してインターネット３０に接続可能な携帯電話機等の携帯端末１０−１〜１０−ｎと、携帯端末１０−１〜１０−ｎからアクセスがあった場合、バナー情報データベース５０を参照し、携帯端末１０−１〜１０−ｎの周囲の気象状況に応じたバナー情報が掲載されたＷｅｂページを編集し、携帯端末１０−１〜１０−ｎに配信する情報配信サーバ４０とから構成されており、携帯端末１０−１〜１０−ｎのそれぞれは、公衆回線２０及びインターネット３０を介して通信を行う通信手段（不図示）と、周囲の気象状況を測定する測定手段（不図示）とが設けられている。また、情報配信サーバ４０は、インターネット４０上にＷｅｂページを提供するための通信部４１と、バナー情報データベース５０から、携帯端末１０−１〜１０−ｎの周囲の気象状況に応じたバナー情報を検索するバナー情報検索部４２と、バナー情報検索部４２にて検索されたバナー情報が掲載されたＷｅｂページを編集するＷｅｂページ編集部４３とから構成されている。
【００２３】
以下に、上記のように構成された情報配信システムにおける情報配信方法について、携帯端末１０−１にて情報配信サーバ４０にアクセスが行われた場合を例に挙げて説明する。
【００２４】
図２は、図１に示した情報配信システムにおいて携帯端末１０−１から情報配信サーバ４０にアクセスがあった場合における情報配信方法を説明するためのフローチャートである。
【００２５】
まず、携帯端末１０−１において、情報配信サーバ４０のＷｅｂページにアクセスすることにより、情報配信サーバ４０に対する情報配信要求が行われると、携帯端末１０−１の測定手段にて測定されている携帯端末１０−１の周囲の気象状況が情報配信サーバ４０に送信される（ステップＳ１）。ここで、携帯端末１０−１〜１０−ｎにおいては、温度センサー（不図示）や湿度センサー（不図示）や紫外線センサー（不図示）等といった、携帯端末１０−１〜１０−ｎの周囲の気象状況を測定する測定手段が設けられており、温度センサーによって測定された携帯端末１０−１の周囲の温度や、湿度センサーによって測定された携帯端末１０−１の周囲の湿度、あるいは、紫外線センサーによって測定された紫外線指数が、情報配信サーバ４０のＷｅｂページへのアクセスとともに情報配信サーバ４０に送信されることになる。この気象状況の送信については、例えば、情報配信サーバ４０のＷｅｂページへのアクセスが行われた際、情報配信サーバ４０のＷｅｂページのＵＲＬに気象状況が付与されることにより行われることが考えられる。
【００２６】
情報配信サーバ４０の通信部４１にて携帯端末１０−１から送信されてきた気象状況が受信、認識されると（ステップＳ２）、この気象状況がバナー情報検索部４２に送られ、バナー情報検索部４２において、バナー情報データベース５０が参照され、携帯端末１０−１の周囲の気象状況に応じたバナー情報が検索される（ステップＳ３）。ここで、バナー情報検索部４２においては、温度や湿度、あるいは紫外線指数によって判断される天候等の気象状況に応じて、バナー情報データベース５０に登録されたバナー情報のうちどのバナー情報をＷｅｂページに掲載すべきかがテーブルとして管理されており、このテーブルに基づいて、携帯端末１０−１の周囲の気象状況に応じたバナー情報が検索されることになる。なお、このテーブルにおけるバナー情報の管理は、バナー情報データベース５０に登録されたバナー情報に識別情報を付与しておき、この識別情報を用いて行うことが考えられるが、バナー情報データベース５０を設けずに、テーブル上にてバナー情報そのものを管理することも考えられる。なお、テーブルには、例えば、気温が３０度以上の場合にはビアガーデンのバナー情報、気温が２０度以下の場合には冬物衣料セールご案内のバナー情報のように、気象情報（温度、湿度、紫外線指数等）に対応したバナー情報が対応付けて設定されている。
【００２７】
その後、バナー情報検索部４２にて検索されたバナー情報は、Ｗｅｂページ編集部４３に送られ、Ｗｅｂページ編集部４３において、バナー情報検索部４２から送られてきたバナー情報が掲載されたＷｅｂページが編集される（ステップＳ４）。
【００２８】
Ｗｅｂページ編集部４３にて編集されたＷｅｂページは、通信部４１を介して送信され（ステップＳ５）、インターネット３０及び公衆回線２０を介して携帯端末１０−１にて受信、表示される（ステップＳ６）。
【００２９】
なお、本形態においては、携帯端末１０−１にて情報配信サーバ４０のＷｅｂページにアクセスが行われた場合に、携帯端末１０−１の周囲の気象状況に応じたバナー情報が掲載されたＷｅｂページが携帯端末１０−１に配信されるものを例に挙げて説明したが、携帯端末１０−１から情報配信サーバ４０に情報配信要求を行うための電子メール（例えば、宛先が情報配信サーバ４０に設定された空メール）を送信する際に、気象情報を付加することにより、情報配信サーバ４０において、情報配信要求を行うための電子メールとともに携帯端末１０−１から送信されてくる気象状況に応じた情報が掲載された電子メールを携帯端末１０−１に対して送信することも考えられる。なお、電子メールへの気象情報の付加は、所定のプログラムにより所定の書式に基づいて自動的に付加されることが好ましい。
【００３０】
（第２の実施の形態）
図３は、本発明の情報配信システムの第２の実施の形態を示す図である。
【００３１】
本形態は図３に示すように、公衆回線１２０を介してインターネット１３０に接続可能な携帯電話機等の携帯端末１１０−１〜１１０−ｎと、携帯端末１１０−１〜１１０−ｎを特定可能な識別情報となるユーザＩＤが書き込まれ、このユーザＩＤが非接触状態にて読み出し可能な記録媒体である非接触タグ１１１−１〜１１１−ｎと、予め決められた場所に設置され、非接触タグ１１１−１〜１１１−ｎに書き込まれたユーザＩＤを非接触状態にて読み取り、読み取ったユーザＩＤと、設置場所を特定可能な位置特定情報とを送信する位置特定手段であるキオスク端末１６０−１〜１６０−Ｎと、気象情報を位置情報と対応づけて気象情報データベース１５１に登録して管理する気象情報管理サーバ１５０と、キオスク端末１６０−１〜１６０−Ｎから送信されたユーザＩＤ及び位置特定情報をインターネット１３０を介して受信し、受信した位置特定情報によって特定される位置の気象情報を気象情報管理サーバ１５０から取得し、コンテンツデータベース１８０に登録されたコンテンツのうち、キオスク端末１６０−１〜１６０−Ｎから送信されてきたユーザＩＤ及び気象情報管理サーバ１５０から取得した気象情報に応じたコンテンツが掲載された電子メールを、キオスク端末１６０−１〜１６０−Ｎから送信されてきたユーザＩＤによって特定される携帯端末１１０−１〜１１０−ｎに配信する情報配信サーバ１４０とから構成されている。また、情報配信サーバ１４０は、インターネット１３０を介して通信を行うための通信部１４１と、キオスク端末１６０−１〜１６０−Ｎから送信されてきた位置特定情報によって特定される位置の気象情報を気象情報管理サーバ１５０から取得する気象情報取得部１４４と、利用者情報データベース１７０を参照し、キオスク端末１６０−１〜１６０−Ｎから送信されてきたユーザＩＤに対応づけられた属性情報を検索し、コンテンツデータベース１８０から、利用者情報データベース１７０から検索された属性情報及び気象情報取得部１４４にて気象情報管理サーバ１５０から取得された気象情報に応じたコンテンツを検索するコンテンツ検索部１４２と、利用者情報データベース１７０を参照し、キオスク端末１６０−１〜１６０−Ｎから送信されてきたユーザＩＤに対応づけられた電子メールアドレスを検索し、該電子メールアドレスが宛先に設定され、コンテンツ検索部１４２にて検索されたコンテンツが配信情報として掲載された電子メールを作成するメール作成部１４３とから構成されている。
【００３２】
以下に、上記のように構成された情報配信システムにおける情報配信方法について、非接触タグ１１１−１に書き込まれた、携帯端末１１０−１を識別可能なユーザＩＤがキオスク端末１６０−１にて読み取られた場合を例に挙げて説明する。
【００３３】
図４は、図３に示した情報配信システムにおいて、非接触タグ１１１−１に書き込まれた、携帯端末１１０−１を識別可能なユーザＩＤがキオスク端末１６０−１にて読み取られた場合における情報配信方法を説明するためのフローチャートである。
【００３４】
まず、携帯端末１１０−１の利用者が、キオスク端末１６０−１に非接触タグ１１１−１を翳し、それにより、非接触タグ１１１−１に書き込まれたユーザＩＤがキオスク端末１６０−１にて読み取られると（ステップＳ１１）、非接触タグ１１１−１から読み取られたユーザＩＤと、キオスク端末１６０−１の設置場所を特定可能な位置特定情報とがキオスク端末１６０−１からインターネット１３０を介して情報配信サーバ１４０に送信される（ステップＳ１２）。ここで、非接触タグ１１１−１〜１１１−ｎは、携帯端末１１０−１〜１１０−ｎの利用者がこのサービスに登録した際に当該利用者に発行されるものであって、利用者毎に固有のユーザＩＤが書き込まれている。これにより、非接触タグ１１１−１〜１１１−ｎに書き込まれたユーザＩＤによってその利用者が利用する携帯端末１１０−１〜１１０−ｎが特定可能となっている。また、携帯端末１１０−１〜１１０−ｎの利用者がこのサービスに登録した際、携帯端末１１０−１〜１１０−ｎの利用者に関する情報として、利用者の氏名や住所、性別、年齢等といった属性情報と、携帯端末１１０−１〜１１０−ｎの電子メールアドレスとが、ユーザＩＤと対応づけて利用者情報データベース１７０に登録される。また、キオスク端末１６０−１〜１６０−Ｎにおいては、非接触タグ１１１−１から読み取られたユーザＩＤと、キオスク端末１６０−１の設置場所を特定可能な位置特定情報とがインターネット１３０を介して情報配信サーバ１４０に送信されるが、これらの情報はインターネット１３０を介して情報配信サーバ１４０に送信されることに限らず、公衆回線１２０や専用線（不図示）を介して送信することも考えられる。
【００３５】
キオスク端末１６０−１から送信されたユーザＩＤと位置特定情報とが情報配信サーバ１４０にて受信されると（ステップＳ１３）、まず、情報配信サーバ１４０の気象情報取得部１４４において、気象情報管理サーバ１５０に対して、キオスク端末１６０−１から送信されてきた位置特定情報によって特定される位置における温度や湿度等の気象情報の取得要求が送信される（ステップＳ１４）。なお、本形態のように、キオスク端末１６０−１〜１６０−Ｎから位置特定情報が送信され、気象情報取得部１４４にてこの位置特定情報によって特定される位置の気象情報の取得が要求されるのではなく、気象情報取得部１４４においてキオスク端末１６０−１〜１６０−Ｎの設置場所を、キオスク端末１６０−１〜１６０−Ｎを識別可能な識別情報と対応づけて管理しておき、キオスク端末１６０−１〜１６０−Ｎからは、キオスク端末１６０−１〜１６０−Ｎを識別可能な識別情報のみを送信し、気象情報取得部１４４において、識別情報を送信してきたキオスク端末１６０−１の設置場所を認識し、この設置場所における気象情報の取得を要求する構成とすることも考えられる。
【００３６】
気象情報取得部１４４からキオスク端末１６０−１の設置場所における気象情報の取得が要求されると、気象情報管理サーバ１５０においては、気象情報データベース１５１が参照され、キオスク端末１６０−１の設置場所における気象情報が情報配信サーバ１４０に提供される（ステップＳ１５）。
【００３７】
気象情報管理サーバ１５０から提供された気象情報が気象情報取得部１４４にて取得されると（ステップＳ１６）、コンテンツ検索部１４２において、利用者情報データベース１７０が参照され、キオスク端末１６０−１から送信されてきたユーザＩＤに対応づけられた属性情報が検索され（ステップＳ１７）、コンテンツデータベース１８０から、利用者情報データベース１７０から検索された属性情報及び気象情報取得部１４４にて気象情報管理サーバ１５０から取得された気象情報に応じたコンテンツが検索される（ステップＳ１８）。ここで、コンテンツ検索部１４２においては、利用者の属性情報（性別や年齢）と温度や湿度等の気象情報とに応じて、コンテンツデータベース１８０に登録されたコンテンツのうちどのコンテンツを携帯端末１１０−１〜１１０−ｎに配信すべきかがテーブルとして管理されており、このテーブルに基づいて、携帯端末１１０−１の利用者の属性情報と、キオスク端末１６０−１の周囲における気象情報に応じたコンテンツが検索されることになる。なお、本形態においては、携帯端末１１０−１〜１１０−ｎの利用者の属性情報と、携帯端末１１０−１〜１１０−ｎを特定可能なユーザＩＤが読み取られたキオスク端末１６０−１〜１６０−Ｎの周辺における気象情報とに応じたコンテンツが検索されているが、携帯端末１１０−１〜１１０−ｎの利用者の属性情報によらずに、非接触タグ１１１−１〜１１１−ｎからユーザＩＤが読み取られたキオスク端末１６０−１〜１６０−Ｎの周辺における気象情報のみに応じたコンテンツを検索する構成とすることも考えられる。
【００３８】
次に、情報配信サーバ１４０のメール作成部１４３において、利用者情報データベース１７０が参照され、キオスク端末１６０−１から送信されてきたユーザＩＤに対応づけられた電子メールアドレスが検索され（ステップＳ１９）、該電子メールアドレスが宛先に設定され、コンテンツ検索部１４２にて検索されたコンテンツが配信情報として掲載された電子メールが作成される（ステップＳ２０）。なお、コンテンツデータベース１８０に登録され、電子メールに配信情報として掲載されるコンテンツとしては、配信すべき広告情報やクーポン情報そのもののである場合や、配信すべき広告情報やクーポン情報が掲載されたＷｅｂページにアクセスするためのＵＲＬである場合等が考えられる。
【００３９】
メール作成部１４３にて作成された電子メールは、通信部１４１を介して送信され（ステップＳ２１）、インターネット１３０及び公衆回線１２０を介して携帯端末１１０−１にて受信、表示される（ステップＳ２２）。
【００４０】
なお、本形態においては、キオスク端末１６０−１〜１６０−Ｎから情報配信サーバ１４０にユーザＩＤが送信される際に、キオスク端末１６０−１〜１６０−Ｎの設置場所を特定可能な位置特定情報がキオスク端末１６０−１〜１６０−Ｎから情報配信サーバ１４０に送信され、情報配信サーバ１４０においてこの位置特定情報によって特定される位置の気象情報が気象情報管理サーバ１５０から取得されているが、キオスク端末１６０−１〜１６０−Ｎに、キオスク端末１６０−１〜１６０−Ｎの周囲の気象状況を測定するための測定手段を設けておき、この測定手段にて測定された気象状況をユーザＩＤとともに情報配信サーバ１４０に送信する構成とすることも考えられる。その場合、情報配信サーバ１４０においては、気象情報管理サーバ１５０からキオスク端末１６０−１〜１６０−Ｎの周辺の気象情報を取得する必要がなくなる。
【００４１】
また、本形態においては、携帯端末１１０−１〜１１０−ｎの利用者に予め付与され、携帯端末１１０−１〜１１０−ｎを特定可能なユーザＩＤを非接触タグ１１１−１〜１１１−ｎに書き込んでおき、携帯端末１１０−１〜１１０−ｎの利用者が非接触タグ１１１−１〜１１１−ｎをキオスク端末１６０−１〜１６０−Ｎに翳すことにより、非接触タグ１１１−１〜１１１−ｎに書き込まれたユーザＩＤがキオスク端末１６０−１〜１６０−Ｎにて読み取られ、このユーザＩＤとキオスク端末１６０−１〜１６０−Ｎの設置場所を特定可能な位置特定情報とが情報配信サーバ１４０に送信される構成としたが、携帯端末１１０−１〜１１０−ｎの利用者が所持する、車両乗車用の定期券にユーザＩＤを書き込んでおき、定期券に書き込まれた情報が自動改札機にて読み取られた際に、定期券に書き込まれたユーザＩＤと自動改札機の設置場所を特定可能な位置特定情報を情報配信サーバ１４０に送信する構成とすることも考えられる。
【００４２】
（第３の実施の形態）
図５は、本発明の情報配信システムの第３の実施の形態を示す図である。
【００４３】
本形態は図５に示すように、携帯端末２１０−１〜２１０−ｎと、位置情報管理サーバ２６０と、気象情報管理サーバ２５０と、情報配信サーバ２４０とから構成されている。
【００４４】
携帯端末２１０−１〜２１０−ｎは、公衆回線２２０を介してインターネット２３０に接続可能な携帯電話機等である。この携帯端末２１０−１〜２１０−ｎは、利用者に配布され、予め決められた識別情報である装置ＩＤが書き込まれてこの装置ＩＤによって位置が検出可能に構成された位置検出手段である位置検出装置２１１−１〜２１１−ｎが一体に構成されている。なお、一体とは、携帯端末２１０−１〜２１０−ｎと位置検出装置２１１−１〜２１１−ｎが同じ位置にあることを示すものであり、位置検出装置２１１−１〜２１１−ｎが携帯端末２１０−１〜２１０−ｎに内蔵されていてもよい。
【００４５】
また、位置情報管理サーバ２６０は、位置検出装置２１１−１〜２１１−ｎの装置ＩＤによって、ＧＰＳや無線通信網を用いて位置検出装置２１１−１〜２１１−ｎの位置を検出する。
【００４６】
また、気象情報管理サーバ２５０は、気象情報を位置情報と対応づけて気象情報データベース２５１に登録して管理する。
【００４７】
また、情報配信サーバ２４０は、位置情報管理サーバ２６０にて検出された位置検出装置２１１−１〜２１１−ｎの位置情報をインターネット２３０を介して取得し、取得した位置情報によって特定される位置の気象情報を気象情報管理サーバ２５０から取得する。続いて、コンテンツデータベース２８０に登録されたコンテンツのうち、位置情報管理サーバ２６０から位置情報を取得した位置検出装置２１１−１〜２１１−ｎの装置ＩＤに予め対応づけられた利用者情報及び気象情報管理サーバ２５０から取得した気象情報に応じたコンテンツが掲載された電子メールを、位置情報管理サーバ２６０から位置情報を取得した位置検出装置２１１−１〜２１１−ｎの装置ＩＤに予め対応づけられた携帯端末２１０−１〜２１０−ｎに配信する。また、情報配信サーバ２４０は、通信部２４１と、気象情報取得部２４４と、コンテンツ検索部２４２と、メール作成部２４３とから構成されている。
【００４８】
通信部２４１は、インターネット２３０を介して通信を行う。
【００４９】
気象情報取得部２４４は、位置情報管理サーバ２６０から取得した位置検出装置２１１−１〜２１１−ｎの位置情報によって特定される位置の気象情報を気象情報管理サーバ２５０から取得する。
【００５０】
コンテンツ検索部２４２は、利用者情報データベース２７０を参照し、位置情報管理サーバ２６０から位置情報を取得した位置検出装置２１１−１〜２１１−ｎの装置ＩＤに対応づけられた属性情報を検索し、コンテンツデータベース２８０から、利用者情報データベース２７０から検索された属性情報及び気象情報取得部２４４にて気象情報管理サーバ２５０から取得された気象情報に応じたコンテンツを検索する。
【００５１】
メール作成部２４３は、利用者情報データベース２７０を参照し、位置情報管理サーバ２６０から位置情報を取得した位置検出装置２１１−１〜２１１−ｎの装置ＩＤに対応づけられた電子メールアドレスを検索し、該電子メールアドレスが宛先に設定され、コンテンツ検索部２４２にて検索されたコンテンツが配信情報として掲載された電子メールを作成する。
【００５２】
以下に、上記のように構成された情報配信システムにおける情報配信方法について、情報配信サーバ２４０から携帯端末２１１−１に情報が配信される場合を例に挙げて説明する。
【００５３】
図６は、図５に示した情報配信システムにおいて、情報配信サーバ２４０から携帯端末２１１−１に情報が配信される場合における情報配信方法を説明するためのフローチャートである。
【００５４】
まず、情報配信サーバ２４０において、携帯端末２１０−１に情報を配信するために、インターネット２３０を介して位置情報管理サーバ２６０にアクセスが行われ（ステップＳ３１）、携帯端末２１０−１の利用者に配布された位置検出装置２１１−１の装置ＩＤが指定されると（ステップＳ３２）、位置情報管理サーバ２６０から、位置検出装置２１１−１の位置情報が送信される（ステップＳ３３）。ここで、位置検出装置２１１−１〜２１１−ｎは、携帯端末２１０−１〜２１０−ｎの利用者がこのサービスに登録した際に当該利用者に配布され、携帯端末２１０−１〜２１０−ｎに一体化されているものであって、位置検出装置２１１−１〜２１１−ｎ毎に固有の装置ＩＤが書き込まれている。これにより、位置検出装置２１１−１〜２１１−ｎに書き込まれた装置ＩＤによってその利用者が利用する携帯端末２１０−１〜２１０−ｎが特定可能となっており、位置情報管理サーバ２６０にて位置検出装置２１１−１〜２１１−ｎの位置が検出されることにより、携帯端末２１０−１〜２１０−ｎの位置を特定することができる。また、携帯端末２１０−１〜２１０−ｎの利用者がこのサービスに登録した際、携帯端末２１０−１〜２１０−ｎの利用者に関する情報として、利用者の氏名や住所、性別、年齢等といった属性情報と、携帯端末２１０−１〜２１０−ｎの電子メールアドレスとが、位置検出装置２１１−１〜２１１−ｎに書き込まれた装置ＩＤと対応づけて利用者情報データベース２７０に登録される。また、位置情報管理サーバ２６０においては、上述したように、ＧＰＳや無線通信網を用いて、位置検出装置２１１−１〜２１１−ｎに書き込まれた装置ＩＤによって位置検出装置２１１−１〜２１１−ｎの位置が検出されている。
【００５５】
位置情報管理サーバ２６０から送信された、位置検出装置２１１−１の位置情報が情報配信サーバ２４０にて受信されると（ステップＳ３４）、まず、情報配信サーバ２４０の気象情報取得部２４４において、気象情報管理サーバ２５０に対して、位置情報管理サーバ２６０から送信されてきた、位置検出装置２１１−１の位置情報によって特定される位置における温度や湿度等の気象情報の取得要求が送信される（ステップＳ３５）。
【００５６】
気象情報取得部２４４から位置検出装置２１１−１の現在位置における気象情報の取得が要求されると、気象情報管理サーバ２５０においては、気象情報データベース２５１が参照され、位置検出装置２１１−１の現在位置における気象情報が情報配信サーバ２４０に提供される（ステップＳ３６）。
【００５７】
気象情報管理サーバ２５０から提供された気象情報が気象情報取得部２４４にて取得されると（ステップＳ３７）、コンテンツ検索部２４２において、利用者情報データベース２７０が参照され、ステップＳ３２にて指定した装置ＩＤに対応づけられた属性情報が検索され（ステップＳ３８）、コンテンツデータベース２８０から、利用者情報データベース２７０から検索された属性情報及び気象情報取得部２４４にて気象情報管理サーバ２５０から取得された気象情報に応じたコンテンツが検索される（ステップＳ３９）。ここで、コンテンツ検索部２４２においては、利用者の属性情報（性別や年齢）と温度や湿度等の気象情報とに応じて、コンテンツデータベース２８０に登録されたコンテンツのうちどのコンテンツを携帯端末２１０−１〜２１０−ｎに配信すべきかがテーブルとして管理されており、このテーブルに基づいて、携帯端末２１０−１の利用者の属性情報と、携帯端末２１０−１の利用者に配布された位置検出装置２１１−１の周囲における気象情報に応じたコンテンツが検索されることになる。
【００５８】
次に、情報配信サーバ２４０のメール作成部２４３において、利用者情報データベース２７０が参照され、ステップＳ３２にて指定した装置ＩＤに対応づけられた電子メールアドレスが検索され（ステップＳ４０）、該電子メールアドレスが宛先に設定され、コンテンツ検索部２４２にて検索されたコンテンツが配信情報として掲載された電子メールが作成される（ステップＳ４１）。なお、コンテンツデータベース２８０に登録され、電子メールに配信情報として掲載されるコンテンツとしては、配信すべき広告情報やクーポン情報そのもののである場合や、配信すべき広告情報やクーポン情報が掲載されたＷｅｂページにアクセスするためのＵＲＬである場合等が考えられる。
【００５９】
メール作成部２４３にて作成された電子メールは、通信部２４１を介して送信され（ステップＳ４２）、インターネット２３０及び公衆回線２２０を介して携帯端末２１０−１にて受信、表示される（ステップＳ４３）。
【図面の簡単な説明】
【００６０】
【図１】本発明の情報配信システムの第１の実施の形態を示す図である。
【図２】図１に示した情報配信システムにおいて携帯端末から情報配信サーバにアクセスがあった場合における情報配信方法を説明するためのフローチャートである。
【図３】本発明の情報配信システムの第２の実施の形態を示す図である。
【図４】図３に示した情報配信システムにおいて、非接触タグに書き込まれた、携帯端末を識別可能なユーザＩＤがキオスク端末にて読み取られた場合における情報配信方法を説明するためのフローチャートである。
【図５】本発明の情報配信システムの第３の実施の形態を示す図である。
【図６】図５に示した情報配信システムにおいて、情報配信サーバから携帯端末に情報が配信される場合における情報配信方法を説明するためのフローチャートである。
【符号の説明】
【００６１】
１０−１〜１０−ｎ，１１０−１〜１１０−ｎ，２１０−１〜２１０−ｎ    携帯端末
２０，１２０，２２０    公衆回線
３０，１３０，２３０    インターネット
４０，１４０，２４０    情報配信サーバ
４１，１４１，２４１    通信部
４２    バナー情報検索部
４３    Ｗｅｂページ編集部
５０    バナー情報データベース
１１１−１〜１１１−ｎ    非接触タグ
１４２，２４２    コンテンツ検索部
１４３，２４３    メール作成部
１４４，２４４    気象情報取得部
１５０，２５０    気象情報管理サーバ
１５１，２５１    気象情報データベース
１６０−１〜１６０−Ｎ    キオスク端末
１７０，２７０    利用者情報データベース
１８０，２８０    コンテンツデータベース
２１１−１〜２１１−ｎ    位置検出装置
２６０    位置情報管理サーバ
【図１】
2005151322.tif 000003
【図２】
2005151322.tif 000004
【図３】
2005151322.tif 000005
【図４】
2005151322.tif 000006
【図５】
2005151322.tif 000007
【図６】
2005151322.tif 000008